(57)【要約】      （修正有）【課題】農作物に被害を与える恐れがある害獣に対し田畑などに近づけさせないための構造体であり、害獣に構造体の怖さを学習させ、近づくことを忌避させる害獣の侵入を防ぐ構造体を提供する。【解決手段】鋼材を格子状の網目に形成した正三角形の網枠体１を４枚、夫々の辺で繋ぎ合わせて正三角形の三角錐に組み立てて害獣の侵入を防ぐ忌避構造体１０を形成した。網枠体は三辺を芯棒により枠取りした正三角形状とし、これら三辺の芯棒に接続する鋼材を格子状に配して溶接などで一体に形成した。また、網枠体を構成する格子状の網目の大きさは、相手とする害獣の肢が容易に入り、抜くときに肢に絡む程度とした。【選択図】図１
0003226703.tif 000002
【実用新案登録請求の範囲】
【請求項１】
鋼材を格子状の網目に形成した正三角形の網枠体を４枚、夫々の辺で繋ぎ合わせて正三角形の三角錐に組み立てたことを特徴とする害獣の侵入を防ぐ忌避構造体。
【請求項２】
前記網枠体は三辺を芯棒により枠取りした正三角形状とし、これら三辺の芯棒に接続する鋼材を格子状に配して溶接などで一体に形成したことを特徴とする請求項１に記載の害獣の侵入を防ぐ忌避構造体。
【請求項３】
前記網枠体を構成する格子状の網目の大きさは、相手とする害獣の肢が容易に入り、抜くときに肢に絡む程度としたことを特徴とする請求項１に記載の害獣の侵入を防ぐ忌避構造体。
【考案の詳細な説明】
【技術分野】
【０００１】
本考案は農作物に被害を与える恐れがある害獣に対し田畑などに侵入させないための構造体であり、害獣に構造体の怖さを学習させ、近づくことを忌避させる害獣の侵入を防ぐ構造体に関する。
【背景技術】
【０００２】
一般に、農作物を害獣の被害から守る方法として柵で囲う方法、金属柵に電流を通し撃退する方法や、害獣の接近を検知し超音波や警告音、光線を発する装置など様々な方法や装置が提案され、使用されている。
【０００３】
しかし、柵の場合、設置する面積や場所などでは広域となり、大規模な工事や設置費用が掛かるのが難点である。また害獣を検知し、音や光などで撃退する装置は大がかりとなり小規模な田畑などでは採用できないものである。
【０００４】
そこで、侵入した害獣が一度、いやな目や怖い思いを経験させることで侵入を忌避させる装置や構造体が提案されている。特許文献１には害獣の肢の先端の大きさより余裕のある格子状の区切りを設けた板を、害獣の肢の長さを基準とした高さにした忌避構造体が示される。この格子状の構造体に害獣が肢を入れた時の絡まりが恐怖を与え、近寄らないようにする忌避効果を狙ったものである。また、特許文献２には同様に害獣侵入防止領域に敷設するスロープとハニカム状の開口をもつ侵入防止部を形成したもので、侵入した害獣は開口部に肢が入り込むことで恐怖を与えて移動の障害を学習させ、侵入防止部を渡ることに警戒感を与え侵入を忌避させるものである。さらに、特許文献３の害獣の侵入防止具では野生動物が侵入した時に軽度の傷を負わせることで危険ゾーンであることを教え、侵入を忌避させる防止具が提案されている。
【先行技術文献】
【特許文献】
【０００５】
【特許文献１】特開２０１９−１４６４８８号公報
【特許文献２】特開２０１９−１３５９３３号公報
【特許文献３】実用新案登録第３１２８０２０号公報
【考案の概要】
【考案が解決しようとする課題】
【０００６】
本考案は野性動物の侵入による人間生活域や農場等の被害を防ぐことを課題とする。
猪、鹿、熊等の害獣は用心深く、そして学習能力を有する。本考案は害獣のこれらの性質を踏まえ、害獣が危険を察知し忌避するように仕向けることのできる、耐久性に優れ設置が容易で、しかも安価な構造体を提案するものである。
【課題を解決するための手段】
【０００７】
上記目的を達成するため、請求項１記載の害獣の侵入を防ぐ忌避構造体は、鋼材を格子状の網目に形成した正三角形の網枠体を４枚、夫々の辺で繋ぎ合わせて正三角形の三角錐に組み立てたことを特徴とする。
【０００８】
請求項２記載の害獣の侵入を防ぐ忌避構造体は、三辺を芯棒により枠取りした正三角形状の網枠体とし、これら三辺の芯棒に接続する鋼材を格子状に配して溶接などで一体に形成したことを特徴とする。
【０００９】
請求項３の害獣の侵入を防ぐ忌避構造体は、網枠体を構成する格子状の網目の大きさは相手とする害獣の肢が容易に入り、抜くときに肢に絡む程度としたことを特徴とする。
【考案の効果】
【００１０】
本考案によれば、害獣に危険を察知したとき逃げづらいことを学習させることで、一度危険を経験すれば侵入を忌避するようになる。使用に際しては電気も消耗剤も使用しないので設置後の維持管理が容易である。あくまで動物としての害獣に危害を加える物ではなく、人間の生活域との棲み分けができるようにすることを目的とする。
【図面の簡単な説明】
【００１１】
【図１】本考案の実施例である害獣の侵入を防ぐ忌避構造体の斜視図である。
【図２】同構造体を構成する正三角形の網枠体の単体の正面図である。
【図３】同構造体を組み立てる前の網枠体を展開した状態を示す説明図である。
【考案を実施するための形態】
【００１２】
以下、本考案を図示する実施形態により具体的に説明する。
図１は正三角形の網枠体１を４枚、夫々の辺で繋ぎ合わせて三角錐に組み立てた忌避構造体１０を示す。網枠体１は図２に示すように、三辺ａ、ｂ、ｃを芯棒１ａ、１ｂ、１ｃにより枠取りした正三角形をなし、これら三辺の芯棒に接続する鋼材１１を格子状に配して溶接などで一体に形成されている。格子状の網目の大きさは相手とする害獣の肢が容易に入り、抜くときに肢が引っかかる程度であって、害獣が網目から逃げる時、肢に負担がかかる大きさとする。網枠体１は相手とする害獣にもよるが、番線や鋼線などの鋼材１１を格子状に張り巡らせ、夫々の交差点を溶着などして形成される。この網枠体１の一辺を６０ｃｍから２００ｃｍを目安とし、組み立てた三角錐の忌避構造体１０は害獣の侵入路に点在させたり、複数個を連ねたりして設置する。
【００１３】
忌避構造体１０は、基準面となる網枠体１の三辺の芯棒１ａ、１ｂ、１ｃに同形状に形成した枠網体２、３、４を、その芯棒同士を対向させ、締着具１２で連結して一体に組み立てたものである。２ａ、２ｂ、２ｃは網枠体２の芯棒、３ａ、３ｂ、３ｃは網枠体３の芯棒、４ａ、４ｂ、４ｃは網枠体４の芯棒である。締着具は金属製の鉤状部材であればよく、特に限定はしない。
【００１４】
網枠体１の網目は製造上の容易さから格子状にしているが、害獣の肢に絡む形状であればよく、網目の形状には拘束されない。また、網目を構成する鋼材の太さも対象とする害獣により一様ではなく、太さに拘束されない。  
【００１５】
次に本考案の作用を説明する。
本考案の忌避構造体１０は、同一形状の正三角形の網枠体１を４枚で１個の忌避構造体を形成する。基準面となる網枠体１の三辺の芯棒に夫々取り付けられる網枠体２、３、４をそれぞれの芯棒同士を締着具１２で連結すれば図１のように正三角錐の忌避構造体１０が出来上がる。従って、正三角形の網枠体１を必要枚数持ち込み、現場で簡単に組み立てることができる。この忌避構造体１０は害獣の出没が想定される場所に、単体の構造体を置いたり、複数個を連結し柵状に並べて設置する。設置する場所の地形や立地状況に応じて現場で任意に選択することができる。
【００１６】
本考案の忌避構造体は正三角形の三角錐形状であるため、害獣が網枠体に肢を引っ掛けて転倒させても同じ網枠体の面を呈しており、安定して忌避効果を維持することができる。本考案の忌避構造体に害獣が肢を入れた時の網枠体との絡まりが恐怖を与え、逃げづらさを学習させることで構造体に近寄らないようにする忌避効果を発揮することができる。しかも、害獣が踏み付けても三角錐の構造体は外力に強く壊されにくい。害獣が衝突しても三角錐の構造体は転がりにくく、安定して設置することができる。
【符号の説明】
【００１７】
１、２、３、４      網枠体
２ａ、２ｂ、２ｃ    芯棒
３ａ、３ｂ、３ｃ    芯棒
４ａ、４ｂ、４ｃ    芯棒
１０                忌避構造体
１１                鋼材
１２                締着具
ａ、ｂ、ｃ          正三角形の辺
【図１】
0003226703.tif 000003
【図２】
0003226703.tif 000004
【図３】
0003226703.tif 000005